(57)【特許請求の範囲】
【請求項１】
文書またはファイルを作成可能なユーザとアカウント情報とを関連付けて前記ユーザを当該システム内ユーザとして管理するユーザ管理部と、
前記システム内に前記ユーザの作成文書または作成ファイル毎に特徴を示す情報をタグとして付して前記ユーザの管理区域内に登録する文書／ファイル登録部と、
前記ユーザから自文書または自ファイルが特定された前記自文書または自ファイルに付された複数のタグから前記管理区域外の前記各タグ毎に前記タグに関連したタグに対してリンクを張り、他のユーザを抽出するＫｎｏｗＷｈｏ検索部と、
前記複数のタグを表示すると共に当該タグ毎にそのタグに近接させて前記ＫｎｏｗＷｈｏ検索部により抽出された前記他のユーザ数を表示する文書／ファイル一覧表示部と、
前記文書／ファイル一覧表示部にて前記ユーザのユーザインタフェースからの前記表示された他のユーザ数の欄が選択されたとき、表示される登録文書または登録ファイル数の表示と、前記特定された自文書または自ファイルとを関連付ける文書検索部と、
を備えることを特徴とする文書管理装置。
【請求項２】
前記ＫｎｏｗＷｈｏ検索部は、前記ＫｎｏｗＷｈｏ検索部により抽出される際にソーシャルブックマークを用いて前記特定された前記自文書または自ファイルに付された複数のタグから前記管理区域外の前記各タグ毎に前記タグに関連したタグに対してリンクを張り、他のユーザを抽出し、
前記文書／ファイル一覧表示部は、前記タグとして前記ソーシャルブックマークを用いて検索する複数のタグ毎にそのタグに近接させて前記ＫｎｏｗＷｈｏ検索部により抽出された前記他のユーザ数を表示することを特徴とする請求項１に記載の文書管理装置。
【請求項３】
前記文書／ファイル登録部は、イントラネット内に存在し、前記他のユーザ数の欄が選択されると表示される登録文書または登録ファイルは当該イントラネット内またはインターネット上での前記他のユーザの開示された文書またはファイルであることを特徴とする請求項１または２に記載の文書管理装置。
【請求項４】
前記ユーザの作成文書または作成ファイルの特徴を示す情報はキーワードであることを特徴とする請求項１から３のいずれか１項に記載の文書管理装置。
【請求項５】
文書またはファイルを作成可能なユーザとアカウント情報とを関連付けて前記ユーザを当該システム内ユーザとして管理するユーザ管理部と、
前記システム内に前記ユーザの作成文書または作成ファイル毎に特徴を示す情報をタグとして付して前記ユーザの管理区域内に登録する文書／ファイル登録部と、
ソーシャルブックマークを用いて前記特定された前記自文書または自ファイルから前記管理区域外の前記自文書または自ファイルに関連した文書またはファイルに対してリンクを張り、他のユーザを抽出するＫｎｏｗＷｈｏ検索部と、
前記ソーシャルブックマークを用いてリンクした文書またはファイルのリスト内容に近接させて前記ＫｎｏｗＷｈｏ検索部により抽出された前記他のユーザ数を表示する文書／ファイル一覧表示部と、
前記文書／ファイル一覧表示部にて前記ユーザのユーザインタフェースからの前記表示された他のユーザ数の欄が選択されたとき、表示される登録文書または登録ファイル数の表示と、前記特定された自文書または自ファイルとを関連付ける文書検索部と、
を備えることを特徴とする文書管理装置。
【請求項６】
前記文書／ファイル登録部は、イントラネット内に存在し、前記他のユーザ数の欄が選択されると表示される登録文書または登録ファイルは当該イントラネット内またはインターネット上での前記他のユーザの開示された文書またはファイルであることを特徴とする請求項５に記載の文書管理装置。
【請求項７】
前記検索される文書またはファイルは、文書またはＷｅｂ文書へのリファレンス情報（ＵＲＬ）であることを特徴とする請求項１から６のいずれか１項に記載の文書管理装置。
【請求項８】
前記検索を行う少なくとも１つのユーザと、請求項１から７のいずれか１項に記載の文書管理装置とがイントラネットまたはインターネットを介して接続されている文書管理システム。
【請求項９】
システム内にユーザの作成文書または作成ファイル毎に特徴を示す情報をタグとして付して前記ユーザの管理区域内に登録する登録ステップと、
前記ユーザから自文書または自ファイルが特定された前記自文書または自ファイルに付された複数のタグから前記管理区域外の前記各タグ毎に前記タグに関連したタグに対してリンクを張り、他のユーザを抽出する抽出ステップと、
前記複数のタグを表示すると共に当該タグ毎にそのタグに近接させて前記抽出ステップにより抽出された前記他のユーザ数を表示する表示ステップと、
前記表示ステップにて前記ユーザのユーザインタフェースからの前記表示された他のユーザ数の欄が選択されたとき、表示される登録文書または登録ファイル数の表示と、前記特定された自文書または自ファイルとを関連付ける関連付けステップと、
を備えることを特徴とする文書検索方法。
【請求項１０】
前記抽出ステップは、前記抽出ステップにより抽出される際にソーシャルブックマークを用いて前記特定された前記自文書または自ファイルに付された複数のタグから前記管理区域外の前記各タグ毎に前記タグに関連したタグに対してリンクを張り、他のユーザの抽出を行い、
前記表示ステップは、前記タグとして前記ソーシャルブックマークを用いて検索する複数のタグ毎にそのタグに近接させて前記抽出ステップにより抽出された前記他のユーザ数を表示することを特徴とする請求項９に記載の文書検索方法。
【請求項１１】
前記ユーザの作成文書または作成ファイルの特徴を示す情報はキーワードであることを特徴とする請求項９または１０に記載の文書検索方法。
【請求項１２】
システム内にユーザの作成文書または作成ファイル毎に特徴を示す情報をタグとして付して前記ユーザの管理区域内に登録する登録ステップと、
ソーシャルブックマークを用いて前記特定された前記ユーザの自文書またはファイルから前記管理区域外の前記自文書またはファイルに関連した文書またはファイルに対してリンクを張り他のユーザを抽出する抽出ステップと、
前記ソーシャルブックマークを用いてリンクした文書またはファイルのリスト内容に近接させて前記抽出ステップにより抽出された前記他のユーザ数を表示する表示ステップと、
前記表示ステップにて前記ユーザのユーザインタフェースからの前記表示された他のユーザ数の欄が選択されたとき、表示される登録文書または登録ファイル数の表示と、前記特定された自文書または自ファイルとを関連付ける関連付けステップと、
を備えることを特徴とする文書検索方法。
【請求項１３】
前記検索される文書またはファイルは、文書及びＷｅｂ文書へのリファレンス情報（ＵＲＬ）であることを特徴とする請求項９から１２のいずれか１項に記載の文書検索方法。
【請求項１４】
さらに、前記表示ステップで表示された他のユーザ数の欄が選択されると前記他のユーザの文書またはファイルを表示する検索文書表示ステップを有することを特徴とする請求項９から１３のいずれか１項に記載の文書検索方法。
【請求項１５】
さらに、ユーザとアカウント情報とを関連付けて前記ユーザを当該システム内ユーザとして管理するユーザ管理ステップを有することを特徴とする請求項９から１４のいずれか１項に記載の文書検索方法。
【請求項１６】
請求項９から１５のいずれか１項に記載の文書検索方法をコンピュータに実行させるためのプログラム。
【請求項１７】
請求項１６に記載のプログラムを記録したコンピュータ読み取り可能な記録媒体。
【発明の詳細な説明】
【技術分野】
【０００１】
本発明は、文書管理装置、文書管理システム、文書検索方法、プログラムおよびコンピュータ読み取り可能な記録媒体に関する。
【背景技術】
【０００２】
オフィスの情報化が進み、文書管理システム、グループウェアなどの情報共有システムを導入する企業が増えている。しかしながら、システムの不適切な使用方法などにより、有効な使用方法などが十分でないため、せっかくのシステムが存在してもあまり有効に使用されてはおらず、情報共有が期待どおりに進んでいないという問題がある。
【０００３】
たとえば、システム等に関する発明として、特許文献１に記載の発明を挙げることができる。この特許文献１には、任意の分野における専門知識を有する社員の検索に用いられるＫｎｏｗＷｈｏデータベースの構築を容易にし、また専門知識に関する用語と社員との対応付けを強化する検索方法、検索システム、中央装置、及びコンピュータプログラムを提供するための解決手段が以下のように開示されている。中央装置１０にＬＡＮ等の内部通信網ＮＷｉを介して接続する端末装置２０，２０，…を使用する夫々の社員が閲覧したウェブページの内容及び送受信した電子メールの内容等の通信内容情報を、端末装置２０及び使用者等の通信元に対応付けてデータベースに記録しておき、各社員は自己の専門分野に関する情報が多く記載されているウェブページの閲覧及び自己の専門分野に関する用語を含む電子メールの送受信が煩雑であるという考えに基づいて、通信元と通信内容情報とを対応付けたデータベースをＫｎｏｗＷｈｏデータベースとして用いる（特許文献１の要約書参照）。
【０００４】
すなわち特許文献１には、ＫｎｏｗＷｈｏデータベースを構築するコストをかけずにＫｎｏｗＷｈｏ検索を実現する方法として、ユーザによるＷｅｂのアクセス状況やメールのやり取りを記録し、キーワードにマッチするＷｅｂページを参照したユーザやメールを送ったユーザを所定の知識を持つ者として提示する方法が示されているといえる。しかしながら、上記の方法では、対象となるＷｅｂページやメールの内容が有用かどうかを判定する基準が無いため、これによって抽出されたユーザが必ずしも検索者が意図するような所定の知識を有している者を抽出し、その情報を提供しているとは言えない。すなわちノイズが多すぎ、システム全体としても回答するまでの時間当たりの得る効果が少ないといえる。また、特許文献１に記載の発明では、ユーザが自ら文書を検索しないと文書を発見することはできない。また、特許文献１に開示された発明では、１回の検索につき検索語が示す１概念（１方向）での文書検索しか行えず、また取り扱う情報は文書のみに限定されている。
【０００５】
また、特許文献２の発明も知られている。この特許文献２には、所定の知識を有する者を簡易に探すことができるようにするために、文書登録者ランキング条件指定部１４は、文書登録者ランキングを表示するための条件を指定し、文書登録者ランキング集計部１５は、指定された条件に基づいて参照履歴を取得し、スコアリングルールに基づいて文書のスコアを文書登録者ごとに集計して文書登録者ランキングを作成する。文書登録者ランキング提示部１７は、文書登録者ランキング集計部１５にて作成された文書登録者ランキングを、ユーザに提示し、このランキングは所定の知識を有するものを提示するような文書登録者提示用コンピュータプログラムならびに文書登録者提示方法および方法の発明が記載されている（特許文献２の要約書参照）。
【０００６】
より詳細に分析すると、この公報には、ユーザの文書参照履歴を元にして文書に対するスコアリングを行い、さらに文書のスコアを文書登録者ごとに集計して上位スコアの文書登録者を提示すること、またキーワード検索でかかった文書のみをスコアリング対象として、あるキーワード（分野）に詳しい文書登録者を検索することができるとしている。そして文書参照には文書の閲覧のみならず、文書のダウンロード・文書へのコメント付与なども含まれている（図１〜３参照）。しかしながらこの公報に記載の発明では、ユーザが自ら文書を検索するように設定しないと文書を発見することはできず、また、１回の検索につき検索語が示す１概念（１方向）での文書検索しか行うことができず、さらに、ここで取り扱う情報は文書（テキスト文書ということ？あるいはその他の意味か）のみであると言う問題点がある。
【０００７】
さらにインターネット上で、たとえば、ソーシャルブックマーク・サービスが知られている。このようなソーシャルブックマーク・サービスは、ＷｅｂサイトへのブックマークをＷｅｂ上に公開し、他人と共有するが、その代表的なものとして、「はてなブックマーク」、「ｄｅｌ．ｉｃｉｏ．ｕｓ」などのサイトがよく知られている（非特許文献１、非特許文献２）。ソーシャルブックマーク・サービスでは、同じＷｅｂサイトを、ブックマークを（アクセス）した人の数が表示される。例えば、はてなブックマークでは図４に示すような「２３ｕｓｅｒｓ」のように、ブックマークをした人の数が表示されるようになっており、また、「ｄｅｌ．ｉｃｉｏ．ｕｓ」では、「ｓａｖｅｄ  ｂｙ  ５４  ｏｔｈｅｒ  ｐｅｏｐｌｅ」のように表示される（図５参照）。この表示にはリンクが貼られており、ユーザはこれをクリックすると同じＷｅｂサイトをブックマークした人のリストが表示される（図６〜７参照）。そしてこの表示された人の名前の部分をクリックすると、その人が登録したブックマーク一覧の画面（その人のマイページ）に遷移するようになっている。
【０００８】
ソーシャルブックマーク・サービスは、「自分が登録したブックマーク→自分と同じ興味を持つ人→自分と同じ興味を持つ人が登録したブックマーク」などというように、ユーザ自身が興味を有する可能性の高い情報を発見することができるサービスを提供することとなっている。このソーシャルブックマーク・サービスの上記した「ｄｅｌ．ｉｃｉｏ．ｕｓ」における自ユーザと他のユーザの基本的なつながり方のメカニズムを図８に示す。図８に示すように、自ユーザと他ユーザは同じＵＲＬを登録している者同士がつながっていく。このように、表示された人の数の欄をクリックすると、その人が登録したブックマーク一覧の画面（その人のマイページ）に遷移することができる。ソーシャルブックマーク・サービスは、そのようにして、「自分が登録したブックマーク→自分と同じ興味を持つ人→自分と同じ興味を持つ人が登録したブックマーク」へと、つまり、自分が興味のある可能性が高い情報を発見することができるサービスと解釈することができる。
【特許文献１】特開２００２−３５１８８８号公報
【特許文献２】特開２００６−２３９６１号公報
【非特許文献１】はてなブックマークのＷｅｂサイト＜ＵＲＬ：http://b.hatena.ne.jp＞［平成１９年１２月１２日検索］
【非特許文献２】ｄｅｌ．ｉｃｉｏ．ｕｓのＷｅｂサイト＜ＵＲＬ：http://del.icio.us/＞［平成１９年１２月１２日検索］
【発明の開示】
【発明が解決しようとする課題】
【０００９】
本発明は、上述した従来技術の実情に鑑みてなされたものである。本発明は、文書管理システムの利用者が自分の登録した文書と内容の類似した文書を見つけるシステム、方法およびそのプログラムを実行することにより、システム全体で如何に効率よく、しかもユーザに予想どおりの情報（文書情報）を与えること、あるいは予想以上の解析性（ある問題に対する解析力、解析方法、その問題の捉え方など）に富む情報を与えたり、またこれから行おうとしていたことが既に行われていたなど、重複した仕事を有効に防止でき、新たな視点、出発点から、文書等を見直し、あるいは問題点に対して新たなる観点・視点に立って解析し分析して解決しようという切り口を与えることができるような情報を検索しうる情報共有機能を備えた文書管理システムなどの発明を提供することにある。
【課題を解決するための手段】
【００１０】
上記の課題を解決するために、請求項１に記載の文書管理装置の発明は、文書またはファイルを作成可能なユーザとアカウント情報とを関連付けて前記ユーザを当該システム内ユーザとして管理するユーザ管理部と、前記システム内に前記ユーザの作成文書または作成ファイル毎に特徴を示す情報をタグとして付して前記ユーザの管理区域内に登録する文書／ファイル登録部と、前記ユーザから自文書または自ファイルが特定された前記自文書または自ファイルに付された複数のタグから前記管理区域外の前記各タグ毎に前記タグに関連したタグに対してリンクを張り、他のユーザを抽出するＫｎｏｗＷｈｏ検索部と、前記複数のタグを表示すると共に当該タグ毎にそのタグに近接させて前記ＫｎｏｗＷｈｏ検索部により抽出された前記他のユーザ数を表示する文書／ファイル一覧表示部と、前記文書／ファイル一覧表示部にて前記ユーザのユーザインタフェースからの前記表示された他のユーザ数の欄が選択されたとき、表示される登録文書または登録ファイル数の表示と、前記特定された自文書または自ファイルとを関連付ける文書検索部と、を備えることを特徴とする。
【００１１】
また、請求項２に記載の発明は、請求項１に記載の文書管理装置において、前記ＫｎｏｗＷｈｏ検索部は、前記ＫｎｏｗＷｈｏ検索部により抽出される際にソーシャルブックマークを用いて前記特定された前記自文書または自ファイルに付された複数のタグから前記管理区域外の前記各タグ毎に前記タグに関連したタグに対してリンクを張り、他のユーザを抽出し、前記文書／ファイル一覧表示部は、前記タグとして前記ソーシャルブックマークを用いて検索する複数のタグ毎にそのタグに近接させて前記ＫｎｏｗＷｈｏ検索部により抽出された前記他のユーザ数を表示することを特徴とする。
【００１２】
また、請求項３に記載の発明は、請求項１または２に記載の文書管理装置において、前記文書／ファイル登録部は、イントラネット内に存在し、前記他のユーザ数の欄が選択されると表示される登録文書または登録ファイルは当該イントラネット内またはインターネット上での前記他のユーザの開示された文書またはファイルであることを特徴とする。
【００１３】
また、請求項４に記載の発明は、請求項１から３のいずれか１項に記載の文書管理装置において、前記ユーザの作成文書または作成ファイルの特徴を示す情報はキーワードであることを特徴とする。
【００１４】
また、請求項５に記載の文書管理装置の発明は、文書またはファイルを作成可能なユーザとアカウント情報とを関連付けて前記ユーザを当該システム内ユーザとして管理するユーザ管理部と、前記システム内に前記ユーザの作成文書または作成ファイル毎に特徴を示す情報をタグとして付して前記ユーザの管理区域内に登録する文書／ファイル登録部と、ソーシャルブックマークを用いて前記特定された前記自文書または自ファイルから前記管理区域外の前記自文書または自ファイルに関連した文書またはファイルに対してリンクを張り、他のユーザを抽出するＫｎｏｗＷｈｏ検索部と、前記ソーシャルブックマークを用いてリンクした文書またはファイルのリスト内容に近接させて前記ＫｎｏｗＷｈｏ検索部により抽出された前記他のユーザ数を表示する文書／ファイル一覧表示部と、前記文書／ファイル一覧表示部にて前記ユーザのユーザインタフェースからの前記表示された他のユーザ数の欄が選択されたとき、表示される登録文書または登録ファイル数の表示と、前記特定された自文書または自ファイルとを関連付ける文書検索部と、を備えることを特徴とする。
【００１５】
また、請求項６に記載の発明は、請求項５に記載の文書管理装置において、前記文書／ファイル登録部は、イントラネット内に存在し、前記他のユーザ数の欄が選択されると表示される登録文書または登録ファイルは当該イントラネット内またはインターネット上での前記他のユーザの開示された文書またはファイルであることを特徴とする。
【００１６】
また、請求項７に記載の発明は、請求項１から６のいずれか１項に記載の文書管理装置において、前記検索される文書またはファイルは、文書またはＷｅｂ文書へのリファレンス情報（ＵＲＬ）であることを特徴とする。
【００１７】
また、請求項８に記載の文書管理システムの発明は、前記検索を行う少なくとも１つのユーザと、請求項１から７のいずれか１項に記載の文書管理装置とがイントラネットまたはインターネットを介して接続されている文書管理システムである。
【００１８】
また、請求項９に記載の文書検索方法の発明は、システム内にユーザの作成文書または作成ファイル毎に特徴を示す情報をタグとして付して前記ユーザの管理区域内に登録する登録ステップと、前記ユーザから自文書または自ファイルが特定された前記自文書または自ファイルに付された複数のタグから前記管理区域外の前記各タグ毎に前記タグに関連したタグに対してリンクを張り、他のユーザを抽出する抽出ステップと、前記複数のタグを表示すると共に当該タグ毎にそのタグに近接させて前記抽出ステップにより抽出された前記他のユーザ数を表示する表示ステップと、前記表示ステップにて前記ユーザのユーザインタフェースからの前記表示された他のユーザ数の欄が選択されたとき、表示される登録文書または登録ファイル数の表示と、前記特定された自文書または自ファイルとを関連付ける関連付けステップと、を備えることを特徴とする。
【００１９】
また、請求項１０に記載の発明は、請求項９に記載の文書検索方法において、前記抽出ステップは、前記抽出ステップにより抽出される際にソーシャルブックマークを用いて前記特定された前記自文書または自ファイルに付された複数のタグから前記管理区域外の前記各タグ毎に前記タグに関連したタグに対してリンクを張り、他のユーザの抽出を行い、前記表示ステップは、前記タグとして前記ソーシャルブックマークを用いて検索する複数のタグ毎にそのタグに近接させて前記抽出ステップにより抽出された前記他のユーザ数を表示することを特徴とする。
【００２０】
また、請求項１１に記載の発明は、請求項９または１０に記載の文書検索方法において、前記ユーザの作成文書または作成ファイルの特徴を示す情報はキーワードであることを特徴とする。
【００２１】
また、請求項１２に記載の文書検索方法の発明は、システム内にユーザの作成文書または作成ファイル毎に特徴を示す情報をタグとして付して前記ユーザの管理区域内に登録する登録ステップと、ソーシャルブックマークを用いて前記特定された前記ユーザの自文書またはファイルから前記管理区域外の前記自文書またはファイルに関連した文書またはファイルに対してリンクを張り他のユーザを抽出する抽出ステップと、前記ソーシャルブックマークを用いてリンクした文書またはファイルのリスト内容に近接させて前記抽出ステップにより抽出された前記他のユーザ数を表示する表示ステップと、前記表示ステップにて前記ユーザのユーザインタフェースからの前記表示された他のユーザ数の欄が選択されたとき、表示される登録文書または登録ファイル数の表示と、前記特定された自文書または自ファイルとを関連付ける関連付けステップと、を備えることを特徴とする。
【００２２】
また、請求項１３に記載の発明は、請求項９から１２のいずれか１項に記載の文書検索方法において、前記検索される文書またはファイルは、文書及びＷｅｂ文書へのリファレンス情報（ＵＲＬ）であることを特徴とする。
【００２３】
また、請求項１４に記載の発明は、請求項９から１３のいずれか１項に記載の文書検索方法において、さらに、前記表示ステップで表示された他のユーザ数の欄が選択されると前記他のユーザの文書またはファイルを表示する検索文書表示ステップを有することを特徴とする。
【００２４】
また、請求項１５に記載の発明は、請求項９から１４のいずれか１項に記載の文書検索方法において、さらに、ユーザとアカウント情報とを関連付けて前記ユーザを当該システム内ユーザとして管理するユーザ管理ステップを有することを特徴とする。
【００２５】
また、請求項１６に記載の発明は、請求項９から１５のいずれか１項に記載の文書検索方法をコンピュータに実行させるためのプログラムの発明である。
【００２６】
また、請求項１７に記載の発明は、請求項１６に記載のプログラムを記録したコンピュータ読み取り可能な記録媒体である。
【発明の効果】
【００２７】
本発明からなる文書管理装置およびシステムの発明によれば、ユーザはシステムへログインするだけで自分の登録した文書を起点に類似登録文書へつながっていくことができる。また、本発明の文書検索方法では、ユーザが文書登録時に登録したタグ（ラベル）数と同じ数の概念（方向）で類似文書とのつながりによる検索ができる。すなわち文書登録時に文書にタグを３つつければ、ログイン時に３概念（方向）により文書検索を実行して類似文書とつながっていくことができる。また、本発明の文書検索方法を利用すると、文書とＵＲＬなどを同様のレベルで取り扱いあるいは管理できるため、文書とＵＲＬの別なく他ユーザとつながっていく機会を提供することができる。すなわち、文書と文書同士、ＵＲＬとＵＲＬ同士のつながりの他に文書とＵＲＬとの異なる形態における情報間の連携といった新たな情報の結びつきによる検索を実行し、ユーザに提供することができる。
【発明を実施するための最良の形態】
【００２８】
以下、図面を参照して、本発明の実施形態を詳細に説明する。
【００２９】
文書管理システムにおいて文書を検索する場合、一般的には前記した図９（ａ）に示す「文書検索者」が端末等を介して探索するシステムに検索語を入力し、その入力によりシステムは、その検索語を基にしてユーザである文書検索者に文書を提示してきた。これに対し、本発明は、図９（ｂ）に示すように、ユーザからの入力によりシステムは検索語を基にシステムへの文書登録者をまず検索（いわゆるＫｎｏｗＷｈｏ検索）をし、その結果ヒットした文書登録者の文書の中から、検索語によって篩（フィルタ）をかけて得られた文書を提示するシステム、方法およびそのプログラム等に関する。つまり本発明は、検索語からいきなり文書を検索するというのではなく、その前に人（関連する人：文書登録者または文書（文書情報、画像情報）開示者）を検索するステップを介して行う文書検索することができる文書検索システムあるいは方法であって、本発明は、そのようなＫｎｏｗＷｈｏ検索（特定のキーワードに関しそのキーワードによるスペシャリストを検索する機能のこと）を利用した文書検索システムおよび方法を基礎に置いている。
【００３０】
このように本発明は、文書管理装置を有する文書管理システムの利用者が自分の登録した文書と内容の類似した文書を見つけることが可能なシステム、類似文書検索方法およびそのプログラムをシステムを介して実行する。これにより、システム全体で如何に効率よく、しかもユーザに予想どおりの情報（文書情報）を与えること、あるいは予想以上の解析性（ある問題に対する解析力、解析方法、その問題の捉え方など）に富む情報を与えたり、またこれから行おうとしていたことが既に行われていたなどが、検索の結果を有効に利用して明確にされる。これにより、重複した仕事を有効に防止でき、新たな視点、出発点から、文書等を見直し、あるいは問題点に対して新たなる観点・視点に立って解析し分析して解決しようという切り口を与えることができるような情報を検索しうる情報共有機能を備えた文書管理装置および文書管理システムの発明を含んでいる。
【００３１】
本発明の文書管理装置を有するシステムにおける類似文書の発見を容易にした発明の前提を説明するために、図面を参照しながら、システムおよびそれを用いた動作のフローについて説明する。
【００３２】
本発明の文書管理装置は、ユーザ管理部と文書／ファイル登録部とＫｎｏｗＷｈｏ検索部と文書／ファイル一覧表示部と文書検索部とを備えている。ユーザ管理部は、文書またはファイルを作成可能なユーザとアカウント情報とを関連付けて前記ユーザを当該システム内ユーザとして管理する。文書／ファイル登録部は、文書管理システム内にユーザの作成文書または作成ファイル毎に特徴を示す情報をタグとして付して前記ユーザの管理区域内に登録する。ＫｎｏｗＷｈｏ検索部は、ユーザから自文書または自ファイルが特定された前記自文書または自ファイルに付された複数のタグから前記管理区域外の前記各タグ毎に前記タグに関連したタグに対してリンクを張り、他のユーザを抽出する。文書／ファイル一覧表示部は、前記複数のタグを表示すると共に当該タグ毎にそのタグに近接させて前記ＫｎｏｗＷｈｏ検索部により抽出された前記他のユーザ数を表示する。文書検索部は文書／ファイル一覧表示部により前記ユーザのユーザインタフェースからの前記表示された他のユーザ数の欄が選択されると表示される登録文書または登録ファイル数の表示と、前記特定された自文書または自ファイルとを関連付ける。
【００３３】
あるいは本発明の文書管理装置において、前記ＫｎｏｗＷｈｏ検索部は、ソーシャルブックマークを用いて前記特定された前記自文書または自ファイルから前記管理区域外の前記自文書または自ファイルに関連した文書またはファイルに対してリンクを張り、文書／ファイル一覧表示部は、他のユーザを抽出し、前記ソーシャルブックマークを用いてリンクした文書またはファイルのリスト内容に近接させて前記ＫｎｏｗＷｈｏ検索部により抽出された前記他のユーザ数を表示することもできる。
【００３４】
このような文書管理装置にアカウントを有するユーザは、文書管理装置によって自分の登録文書の類似文書を発見の助力のために、少なくとも１つの作成した文書を、文書管理システムに登録をしておくことが必要である。この文書管理システムへのユーザ登録は、公知の方法により行うことができる。なお本明細書中、「ユーザ」は、ＰＣ、ワークステーションなどの端末を指し、その文書管理システムへのアカウントはこれらＰＣ端末等で行い、助力的に携帯端末（簡易端末などと表記することもある）あるいはコンピュータ機能を有する機器、たとえば画像形成装置などでユーザとして同一性を保持しながら登録し、これら簡易端末による入力の追加を実施したり、検索を実行したりすることも本発明の文書管理装置および文書検索方法では可能である。
【００３５】
［実施形態１］
ユーザは図１０に示すように、文書を作成（作成した文書を「文書１」とする）し（ステップＳ１：文書作成）、その文書中のキーワードと判断したものにタグを付けてこのキーワードをタグ情報（単語またはフレーズなどの情報）とする（ステップＳ２：タグ付け）。この段階では文書管理システムには文書とタグは共に文書管理システムには登録されていない未定の状態である。ユーザは文書管理システムにログインし、文書管理システムに文書とタグ（タグ情報）を登録する（タグ（タグ情報）付文書の登録）（ステップＳ３：ログイン、文書登録）。文書管理サーバでは、ユーザ名（以下、ユーザ名を「○×△×」として説明する。）で管理区域を設定し、作成した文書とその文書に付されたタグ情報とを前記の設定した管理区域に登録する。
【００３６】
ここまでのステップによって、ユーザは自分の登録文書と内容が類似した文書を発見できるための準備が整ったことになる。たとえば後述する表１に示すように、文書管理サーバ側では、ユーザＩＤと、文書名ＩＤと、タグとをテーブル化したデータとして保持し、管理しておくことができる。また文書管理サーバ側では、後述する表２に示すユーザＩＤとユーザ名とを一位対応（１対１に対応）にしておくテーブルを設けておくことができる。
【００３７】
ユーザが文書管理システムにログインし、ユーザが検索しようとする条件を文書管理システムに送信すると、ユーザは自分の文書の一覧画面上で、ユーザ毎の「マイページ」の提示を文書管理システムから受ける（ステップＳ４：ログイン、文書閲覧）。すなわち文書管理システムは、ユーザにより登録されたユーザによる文書１中の各タグ（タグ１、・・・、タグｎ）に関して文書管理に登録されたタグ（タグ情報）によるシステム内の同一のタグ（タグ情報）を抽出し、このタグが付されたユーザ名「○×△×」を起点として、文書管理システム内における他のユーザの管理区内を探索し、同一のタグ情報を登録した人を、そのタグ情報毎の各管理区域に当たる人の情報（ユーザ名）と、管理区域数に当たる人数の情報とを、各タグ（各タグ情報）毎に抽出する。この抽出された情報のうち、検索を依頼されたユーザ画面上に、タグ毎に人数を知らせて表示させる。検索を依頼したユーザ１は、ユーザ管理区域名「○×△×さんの文書一覧」という表示（図１１（Ｂ）の第１行目参照）と、ユーザ１の登録された文書のどれを基にして検索を、いつ検索を行ったかを表示する「文書No.10統計手法を取り入れた自動翻訳技術 2007/2/12 11:22:47」という表示（図１１（Ｂ）の第２行目参照）と、その検索回答である各タグ情報「自動翻訳」、「先験情報」および「統計」の次にそのタグ毎に発見した人数について抽出した登録人数をそのタグの周辺に「10users」、「3users」および「45users」などのように、リンク情報として知らせる（図３（Ｂ）の第３行目参照）。
【００３８】
すなわちユーザ「○×△×」は、文書管理システムへの各文書の登録時あるいは文書管理システムにアクセスした際に、各文書に付したタグ毎に文書管理システム全体で何人いるか、文書管理システムから通知されるようにすることができる。このユーザ「○×△×」からの本文書管理システムへのアクセスの際に、このシステムに登録されたユーザは、自分の管理区域画面が、図３に示されているように通信が行われる。すなわち、文書管理システムは、ユーザに、「自動翻訳 10users」などを含む情報がユーザ「○×△×」宛に送信され、ユーザ「○×△×」は、たとえば自分の管理区域内の文書を特定（たとえば文書ＮＯ．１０と特定）すると、このユーザの表示画面上に「自動翻訳 10users」などとタグ毎に表示された通知方法により、ユーザは、そのタグに関連する文書作成者数を知ることができる。
【００３９】
この画面上で受信を知ったユーザは、自分と同じタグを文書につけた人名を知るために、送信されたタグ毎に存在するユーザ数を示す表示のうちのタグ１（たとえば「自動翻訳10users」とあるタグに付された人数の欄の「10users」）をクリック（ステップＳ５：タグ「自動翻訳」のユーザ数をクリック）する。
【００４０】
すると文書管理システムは、文書管理システム内に存在する同じタグ「自動翻訳」が文書につけられた情報を基に、ユーザの一覧画面上に何人存在しているかを表示できるようにする（ステップＳ６）。この一覧画面において、各ユーザ名の脇に各ユーザが当該タグをつけたそのユーザの自文書の数が表示される。ユーザはこの表示画面中に自分が欲する「各ユーザの自文書数」の表示をクリックすると、文書管理システムはそれを受信して、各ユーザ、すなわちユーザ名「○×△×」以外の管理区域に存在する同一タグを有する文書の作成者の区域内に、この他のユーザが作成した類似登録文書を含む情報をユーザ「○×△×」に送信する。ユーザ「○×△×」はそれを受信し、ユーザが登録した文書に関連して、各ユーザ、すなわち、文書管理システムのユーザ「○×△×」の管理区域外での領域において、類似登録文書を発見することができる。なお前記ユーザの表示画面中においてこのユーザ自身が欲する「各ユーザの自文書数」の表示をクリックする前に、文書管理システムは、ユーザのアクセス時に、ユーザに送信した情報に前もって埋め込んで送信し、ユーザ画面上ではこの埋め込んだ情報を表示せずにユーザがＧＵＩを介してクリック等してリンクを指示したり、ユーザからの人数欄（「10users」）などの）クリックによりリンクされた関連情報に至るようにした場合に、前記したような埋め込んだ情報をユーザ画面上に表示したりリンクしたり、さらにバルーン情報などを配し、表示させたりすることができる。これらの埋め込み、リンク、バルーンなどは、公知の埋め込み方法、リンク方法およびバルーン方法などを自在に設定したり、表示したりすることができる。
【００４１】
またユーザは、自文書内でのキーワードの貼り付け、抽出または選択を実行したりする際に、フリーウェアなどを用いたり、タグにより見出した人の情報において各タグにおける共通の情報からある特定の人の抽出を行い、その結果を表示するなど、適宜行うようにすることもできる。さらに、ＫｎｏｗＷｈｏ検索で見出したユーザ（ユーザ「○×△×」の管理区域外の領域）情報から、その発見したユーザの管理区域内での文書情報のタグ情報を選択して、共通する各ユーザ管理区域におけるユーザ名を、共通タグの多い順、あるいはタグに重みをつけて重い順に表示させるなど、公知の手法に従って行うこともできる。
【００４２】
また、自文書を登録する変わりに、Ｎｅｔｓｃａｐｅ  Ｎａｖｉｇａｔｏｒなどの前記したソーシャルブックマーク・サービスを利用して特定のユーザ間で共通開示可能にさせた文書管理システムを形成するものとし、あるいは自己の独自のＩｎｔｅｒｎｅｔ  Ｅｘｐｌｏｒｅｒによっての「お気に入り」に登録して特定の文書管理システムを形成するものとし、この特定のものに存在するユーザ本人の開示文書を「自己の管理区域」として設定して、「自己の管理区域」内の特定の「文言、フレーズ」をタグとして、類似文書、特定ＵＲＬの再特定を行うようにすることもできる。この場合に、後述する表３に示すＵＲＬを表１のユーザＩＤに（１対１に）対応させ、ＵＲＬ中の各項目名を文書名ＩＤに（１対１に）対応させ、タグをその項目中の特定の「文言、フレーズ」をタグとして表１と同様の表に作成しておくこともできる。なお本発明では、ユーザ間同士では自由に参照することのできる権限を有している範囲内でのことを規定している。すなわちブロガーが、自分の書いた記事について、この文書のジャンルやカテゴリーをタグとして付けているが、本発明では、ブロガーがユーザ「○×△×」であり、そしてブログがアクセス可能な開示文書であり、この開示文書中に文書中の単語、フレーズ、文などをタグとして設定し、この設定されたタグをキーワード検索的に用いて、必要な人物を探すＫｎｏｗＷｈｏ検索をするという点にあるということもできる。
【００４３】
図１１に示す内容は、より具体的には、「自文書→自分と興味の同じシステムユーザ」という観点から、このパスによって発見するための概念（アイデア）を示したものであるということができる。すなわち自文書（たとえば文書Ｎｏ.１０の文書）につけられたタグ情報を起点にし、他のユーザ管理区域に、同じタグ（タグ情報）がつけられた文書が文書管理システム内にあるかを調べ、その結果をそのタグがつけられたシステムユーザの管理区域数をリストアップする。
【００４４】
また図１１に示す内容は、「ユーザ○×△×と興味の同じシステムユーザ→類似登録文書を発見する」という観点に立って発見するための概念（アイデア）を示したものと言うことができる。発見した文書管理システム内のユーザ登録文書の中から、文書管理システムに登録されたユーザ名の発見に使われた、「タグがついた登録文書」をリストアップすることで発見するという観点に立ったものとも言える。
【００４５】
このように、実施形態１の特徴は、文書に同じタグをつけているユーザ名の一覧にダイレクトにリンク等させている点にあると言える。このようにして、ユーザは類似登録文書の発見を従来公知の検索システム、検索方法などよりも早く、もしくは別の観点から行えるように、本実施形態に示す文書管理システムでは行うことが可能となっている。
【００４６】
＜実施形態１における第１の検索例＞
図１１に示すように、ユーザ「○×△×」の管理区域内からスタートし、その管理区域内の文書１を選択して文書管理システムにアクセスして検索を開始すると、この文書１に付いているタグ、例えばタグ１〜タグ３を起点としてこの例では３元的に検索を実行することができる。この図１１において、人１、人２の管理区域において、検索を実行することによって発見された人ｎ（この例ではｎ＝１、２）の管理区域内での文書がそれぞれ、文書２と、文書３となっている。これは、図１０に示すフローの最下段の枠内に示されている第１列にはそれぞれの人名が表示され、第２列目にはタグの具体的な内容（ここでは「自動翻訳」）が示され、第３列目にはその「人１」（ここでは「田中武治」）の管理区域内で発見された「人１」の検索の結果発見された文書数が表示されている。この文書数に関しては図１１では、例として「文書２」、「文書３」などと表示しているが、これは説明のためであり、一般には、図１０のように、複数の文書数であると言うことができる。
【００４７】
すなわち、図１２に示すような、本発明による類似文書とのつながり方を示した基本コンセプト２として表すものを、本発明の文書管理システムおよび文書検索方法は含んでいると言ってよい。すなわち、本発明では、ユーザ１の管理区域１内にある文書１のタグから、他のユーザの管理区域内におけるタグを検索し、前記した文書１のタグと同一のタグがリンクされる（図１１、１２参照）。そしてリンクされた（リンクが張られた）管理区域のユーザ名が特定される（図１１、表１参照）。たとえば表１のタグ欄のユーザＩＤを００１と特定し、そのユーザ管理区域内のタグ１に注目すると、「タグ１」は、他のユーザ（表１を使用した現在の説明において、自ユーザはユーザＩＤ  ００１であり、他のユーザはユーザＩＤ  ００２と、００３の２つの区域となる。）において、ユーザＩＤ  ００２および００３において、リンクがされる。
【００４８】
ここで図１１を用いて表１との対応を説明すると、スタートが「自分」であるユーザＩＤ  ００１から行われ「文書１」が選択される例とする。この「文書１」に、文書名ＩＤ  ００１が対応しているとする。この「文書１」（文書名ＩＤ  ００１）の「タグ１〜３」は、表１でも、それぞれ、タグ１〜３に対応しているものとする。図１１を、表１の開示内容に言い換えて説明すると、ユーザＩＤ  ００１をスタート起点とし、文書名ＩＤ  ００１のタグ１〜３のうちのタグ２とタグ３について表している。そして表１のタグ１に関しては図示されていないが、表１によれば、タグ１のリンクにより、ユーザＩＤ  ００２において、文書名ＩＤ  ００５、００６が、またユーザＩＤ  ００３において、文書名ＩＤ  ００３が発見される。同様に、ユーザＩＤ  ００１の文書名ＩＤ  ００１のタグ２のリンクを張ることにより、ユーザＩＤ  ００３において、文書名ＩＤ  ００９〜０１１が発見されることになる（図１２の基本コンセプト２参照のこと）。
【００４９】
そして図１１に示されているように、タグによるリンクが張られることにより、ユーザＩＤ  ００２などと、ユーザ管理区域が特定される。また図１２に示されているように、タグによるリンクが張られることにより、文書名ＩＤが特定（すなわちどの文書なのかが特定）されることになる。
【００５０】
＜実施形態１における第２の検索例＞
本実施形態において、第２の検索例として、表３に示されるような文書が特定（文書名ＩＤが特定）される（第１の検索例）のではなく、文書名に代えてＵＲＬの文書形式中にタグを作成し、この作成したタグを用い、図１３に示す変形動作例により説明する。この動作例では、自文書のタグ情報を基にして検索する手法は共通している。そして本動作例ではユーザ管理区域外のユーザ管理区域において類似文書を探し出すために、ソーシャルブックマークによりＵＲＬアドレスによるＫｎｏｗＷｈｏ検索を行うこととしている。ＫｎｏｗＷｈｏ検索は、ナレッジマネジメントにおけるアプローチの１つであり、「誰が何を知っているか」、「どこに経験者やエキスパートがいるか」を特定できる仕組みのことである。具体的には、各個人に割り当てられた文書管理区域内に、たとえばユーザの顔写真・プロフィール、特に本実施形態において、過去の職務経歴・担当プロジェクト、その際に作成した文書、表、写真などにリンクするようにタグを付しておき、結果的に必要な「その人」を特定するようにしている。
【００５１】
そもそも、企業のあらゆる情報やナレッジ（知識）をテキスト化して、共有することは不可能に近く、また、形式化できない人の頭に眠っている暗黙知のほうがよほど価値があることが多いと考えられる。例えば、第一線で活躍している営業員であれば大規模商談の受注事例もさることながら、「競合他社にコンペで負けた事例」などの失敗事例や、「この分野であれば○○さんが、エキスパート」といった、経験した人の情報が貴重なものである。このような場合に、本発明に示されるように、ＫｎｏｗＷｈｏ検索が強みを発揮すると言える。そして、その分野に強い人をＫｎｏｗＷｈｏ検索から探し出すことに、本発明の強みがあると言える。
【００５２】
本発明からなる文書管理システムは情報（文書とＵＲＬの両方を含む意味でこの語を使用）につけたタグで自ユーザと他ユーザがつながっていくため、本実施形態の変形例で示すように、容易につながることがなかった他ユーザ、引いては類似登録文書とつながっていく機会を提供することができる。本発明からなる文書管理システムでは、文書とＵＲＬを同様に管理できるため、文書とＵＲＬの別なく他ユーザとつながっていく機会を提供することができる。すなわち、登録した文書と文書同士、あるいはＵＲＬとＵＲＬ同士のつながりの他に文書とＵＲＬ同士をつなげて検索できる機会を提供することができる。
【００５３】
ただし、本実施形態の変形動作例におけるタグは、ユーザが登録時につけるタグに留まるものではない。例えばユーザが自分でタグをつけずとも、システムが登録文書から重要キーワードを抜き出して自動的に文書にタグ付けを行うようにしてもよい。
【００５４】
本発明からなる文書管理システムのデータ管理構造を表１から表４に示す。ログイン時に使用するユーザ名は、表２によりログイン後はユーザＩＤに読み替えられる。システムに登録された文書は表３のようにシステム内で一意な文書ＩＤが割り当てられ、システム内部では文書は文書名でなく、文書ＩＤで識別される。文書名はユーザに文書名を表示する時にのみ使用される。文書の保存場所は表３のように文書ＩＤと紐付けされて管理されている。文書には登録時にユーザもしくはシステムによってタグ付けされ、表１に示すユーザＩＤを主キーとした表と表４に示すタグを主キーにした表にエントリが追加される。ユーザがログインすると、表１を基にログインユーザの登録文書一覧を取得してユーザに登録文書名の一覧を表示する。また各文書に付けられたタグの一覧も取得してユーザに表示する。このとき各タグを利用するユーザの数を取得するために表４を利用する。ユーザがタグによってリンクされた紐づいたユーザ数の表示「10users」などをクリックすると、表４を基にして当該タグを利用するユーザのユーザＩＤ一覧を取得し、表２と併せてユーザ名一覧を取得し表示する。また各ユーザの登録文書の内、当該タグがつけられたものの数を表４から取得されて同様に表示される。
【００５５】
【表１】
0005103161.tif 000002
【００５６】
【表２】
0005103161.tif 000003
【００５７】
【表３】
0005103161.tif 000004
【００５８】
【表４】
0005103161.tif 000005
【００５９】
上述したように、図１３は文書タグを通じて人とつながるアイデアがソーシャルブックマーク・サービスにおける人（ユーザ管理区域以外の区域）とのつながり方に応用可能であることを示す図である。図１３に示すように、従来のソーシャルブックマーク・サービスではワンクリックでつながらなかったサービス・ユーザと、ワンクリックでつながることができるようにすることができる。
【００６０】
図１４は、ソーシャルブックマーク・サービスにおけるユーザ同士のつながり方（検索によりリンクされた発見する手法）が、本実施形態１に応用可能であることを示した例である。すなわち、ユーザ１はＵＩ（ユーザインタフェース）を介して、ブックマークした後に、他ユーザの登録文書（他ユーザの開示文書（文書形式は問わない）をお気に入りの登録文書を参照することが出来るようにし、文書登録者とその文書をブックマークしたユーザとが、図１４に示すようにしてつなげることができる。この例では、ブックマークに加入するユーザは次第に増加していく（換言すれば文書管理システム自体も膨張、増大していく（場合によっては縮小することも可能））のが通常行われることであり、時間経過と共に次第にシステムが拡大（縮小）していくことも可能である。この場合において、本検索方法に関してはあらゆる文書に関して参照権限は設けずに、開示を基本とし、コピー、文書の勝手な変更など、禁止するようにする処理を施しておくことができる。また管理区域毎に参照権限を付しておくことも適宜できるように設定可能である。
【００６１】
＜実施形態１における第３の検索例＞
第３検索例では、本発明による文書管理システムが文書とＵＲＬを同様に扱えるようにしている。図１５に示すように、図１５には本発明による文書管理システムが扱える情報の範囲、つまり、文書（イントラネット内の例えば形式の定まった文書）とＵＲＬ文書（たとえばインターネット上に存在する形式が比較的自由な文書、ファイル）の両方である。基本的には、ＵＲＬ文書はシステム内に存在しているが、このＵＲＬ文書にはタグなどと銘打って画面上にバルーン、バナーなどで表示して見分けできるようにされている。あるいはＵＲＬ情報中に各種のタグとして存在させておくこともできる。ＵＲＬ同士であればこれらタグはこれらを混在させておくこともできるが、文書とＵＲＬ文書の場合には、いずれか１つとすることが基本である。ただし、ＵＩ（ユーザインタフェース）上で同等に扱えればよく、そのために同一視可能なソフトを用いてこれらを同等に行うようにすることもできる。
【００６２】
図１６に示すように、本発明による文書管理システムでは、文書のタグ同士を介してだけではなく、文書のタグ、ＵＲＬのタグを共通に探索可能とし、これによって他のユーザの管理区域とリンクされることができるようにすることができる。当然あるユーザが登録したＵＲＬのタグから、他ユーザの文書のタグを経由して、他ユーザ（他の管理区域）とつなげてＫｎｏｗＷｈｏ検索を用い、ユーザ管理区域内の文書から、類似文書を早急に容易に検索することもできる。
【００６３】
この図では、ユーザ１の文書１のタグを起点として検索しているフローを示す図である。図１６のたとえばタグ３として、ユーザ１のＵＩ上には、「自動翻訳」、「先験情報」、「統計」という単語情報がそれぞれタグに指定され、このような単語情報がイントラネット（同一または関連企業体内）を主とする他のユーザ（他の管理区域）の文書をＫｎｏｗＷｈｏ検索の手法を用いながら実行すると共に、インターネットによりＵＲＬ文書を検索しているモデルと解釈することもできる。あるいは、文書に関しては上記イントラネットと同様であるが、インターネットとして、同一または関連企業体と契約などで関係する外部企業あるいは外部支援体などと解釈することもできる。すなわち、インターネットで連結されているＵＲＬ文書を開示する者として、同一または関連企業体と何らかの形式で情報的にたとえば漏洩などが基本的には存在せず、情報の勝手な変化することなく保護される共同体を文書管理システムとして形成されていることが好ましい。なお前記したように、本システム上で、あるいは類似文書検索方法において、ＵＲＬ文書と管理区域内の文書のタグは、ＵＩ上で同一であれば足り、前記した単語情報をタグとし、その共通性からリンクされるようにしたり、あるいは特定のソフト上で共通化でき、それによって少なくともＵＩ上で同等であるか、同等に操作できるようにすればよい。
【００６４】
上記した検索例では、第１の検索例および第２の検索例を併せて、文書とＵＲＬを同様に管理し、さらに他ユーザ（他の管理区域）とのつながりを最大限に広げている例を挙げて説明した。図１７に示すように、ユーザは、文書のタグやＵＲＬのタグを起点として検索を開始し、他ユーザ（他の管理区域あるいはイントラネット外の他のＵＲＬ）との文書のタグやＵＲＬのタグを経由して他ユーザ（他の管理区域あるいはイントラネット外の他のＵＲＬ）と繋がることができるように本発明の文書管理システムは拡大されている。このように、タグを経由して他ユーザ（他の管理区域あるいはイントラネット外の他のＵＲＬ）とつながることをタグ・リンクと呼ぶことにする。またユーザは自分の登録文書をブックマークした他ユーザや、自分がブックマークした文書の登録者とつながることができる。そのようにブックマークをする／されるという関係によって、他ユーザとつながることをブックマーク・リンクと呼んで区別することにする。
【００６５】
以上、説明したように、本発明の文書管理システムは、図１８に示すように、本発明の文書管理システムを用いた類似文書検索方法では、従来の検索方法では、検索結果が、文書が登録された時系列順に表示され、人３の文書１７が検索結果の下の方に表示されて文書検索を依頼したユーザにその重要度が判らずに見逃されてしまう可能性が高い（図１８（ａ）参照）。これに対して本発明では、文書検索の前にＫｎｏｗＷｈｏ検索により、該当者である、「人１」、「人２」、「人３」が並列に表示され、「文書１７」の発見が早まる可能性が高くなる。このように本発明で用いられるＫｎｏｗＷｈｏ検索を行うことによって、検索時間をかけずに早期に発見できるので、その他の時間をユーザは有効に使用することができることを示す（図１８（ｂ）参照）。
【００６６】
本発明の文書管理システムを用いた類似文書検索方法は、タグによりリンクを張る際に、同一タグということを条件としていた説明を行った。しかしながら本発明では、このような「タグ」に対して、階層概念（たとえばフォルダ化）を与えるようにし、上位または下位概念、類似概念などまでもリンク可能にすることもできる。また、「タグ」の同一概念として、その「タグ」の省略語、翻訳語などまで含むようにし、また翻訳を英語以外の中国語、韓国語など、省略語も含んでどこまでを同一として含むかを適宜設定することができる。その「タグ」の類似概念についても、同様に設定し、場合によっては「タグ」の抽出する方法としても、フォークソノミーを利用して、類似文書検索、タグの抽出、タグの同一性の判断およびタグの類似概念の抽出に関しても利用することもできる。特にイントラネット内ではイントラネット内のきまりなどにより上記した「類似文書検索、タグの抽出、タグの同一性の判断およびタグの類似概念の抽出」を行うようにしたり、さらに、検索者であるユーザ自身がその範囲を適宜選択し、行うようにすることもできる。このようにすると、いわゆる検索エンジンなどのインターネットでよく知られたツールを用いた場合の情報の偏りによるＫｎｏｗＷｈｏ検索を用いない場合のような見落としを、さらに、防止することもできる可能性がある。
【００６７】
本発明では、異なる観点で言えば、イントラネット（特に企業内ネット）内における検索エンジンなどの強制的な類似概念、同一概念を、より自由にタグ付けを行い、ユーザ側視点に立った検索システム、方法の発明と言うこともできる。このような発明によって、コストの面からも、ユーザの時間的、労力的な負担も共に軽減可能である。
【００６８】
また検索するユーザまたはシステムでは、そのユーザの検索履歴を保存可能としておき、例えばイントラネット内での検索条件と、インターネット上でにおける検索条件とを異なる条件のものとして検索し、特にインターネット上におけるメタノイズによる検索時間の無駄を最小限に抑えたり、有効なブックマーク以外を検索する可能性も抑制できるので、早期に有用な類似文章を発見することもできる。またインターネット上で他の検索エンジンなども活用し、本システムがインターネット上で使用される場合の安全性、時間的、コスト上での観点からなどでも資産上、有利である。
【００６９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７０】
すなわち、上記した類似文書を検索する方法において、前記登録ステップと、前記抽出ステップと、前記表示ステップと、前記関連付けステップとを、コンピュータに実行させるための検索プログラムをコンピュータに読取可能な記録媒体として有することもできる。このような記録媒体としては、例えば、フロッピー（登録商標）ディスク、ハードディスク、光ディスク、光磁気ディスク、ＣＤ−ＲＯＭ、ＣＤ−Ｒ、不揮発性のメモリカード、ＲＯＭ、磁気テープ等を用いることができる。
【００７１】
また本発明では、文書管理装置として、上記したステップを実行する部を機能発揮できるようにするプログラムも含んでいる。このプログラムも前記同様にコンピュータに読取可能な記録媒体の形態であってよい。また、プログラムは、記録媒体を介さず、通信回線を通じて直接にコンピュータにロードし実行するような形態であってもよい。
【図面の簡単な説明】
【００７２】
【図１】人物検索の条件指定画面を示す図である。
【図２】人物検索の検索結果画面を示す図である。
【図３】人物の検索結果に基づいた文書検索結果の表示画面を示す図である。
【図４】はてなブックマークの登録ブックマークの画面例を示す図である。
【図５】はてなブックマークの人リストの画面例を示す図である。
【図６】ｄｅｌ．ｉｃｉｏ．ｕｓの登録ブックマークの画面例を示す図である。
【図７】ｄｅｌ．ｉｃｉｏ．ｕｓの人リストの画面例を示す図である。
【図８】ソーシャルブックマーク・サービスにおける自ユーザと他ユーザの基本的なつながり方のメカニズムを示した図である。
【図９】一般的な文書検索とKnowWho検索を利用した文書検索の相違点を説明するための図である。
【図１０】本発明の類似文書検索方法のフローを示す図である。
【図１１】本発明の文書管理システムを用いた類似文書の検索における人（情報）との連結のされ方（基本コンセプト１）を示す図である。
【図１２】本発明の文書管理システムを用いた類似文書の検索における文書（情報）との連結のされ方（基本コンセプト２）を示す図である。
【図１３】本発明の文書管理システムを用いた類似文書の検索における人（情報）との連結のされ方（動作変形例）を示す図である。
【図１４】本発明の文書管理システムを用いた類似文書の検索における文書（情報）との連結のされ方（動作変形例）を示す図である。
【図１５】本発明の文書管理システムの管理対象をそのネットワークの構造と共に示した図である。
【図１６】本発明の文書検索システムを利用して、文書またはＵＲＬの少なくとも１つを利用して検索により連結される情報の流れを示した図である。
【図１７】本発明の文書検索システムを利用して、文書、ＵＲＬ、文書へのブックマークのいずれかを利用して検索により連結される情報の流れを示した図である。
【図１８】本発明の検索システムにおけるＫｎｏｗＷｈｏ検索における検索の利点を説明するための図である。
【図１】
0005103161.tif 000006
【図２】
0005103161.tif 000007
【図３】
0005103161.tif 000008
【図４】
0005103161.tif 000009
【図５】
0005103161.tif 000010
【図６】
0005103161.tif 000011
【図７】
0005103161.tif 000012
【図８】
0005103161.tif 000013
【図９】
0005103161.tif 000014
【図１０】
0005103161.tif 000015
【図１１】
0005103161.tif 000016
【図１２】
0005103161.tif 000017
【図１３】
0005103161.tif 000018
【図１４】
0005103161.tif 000019
【図１５】
0005103161.tif 000020
【図１６】
0005103161.tif 000021
【図１７】
0005103161.tif 000022
【図１８】
0005103161.tif 000023